(57)【要約】【課題】  ビデオによる宣伝広告が行えると共に、広告主側の要求により宣伝場所に集まる人々の情報を直接的に得ることができるようにする。【解決手段】  広告放送中継センター３は、宣伝用テレビ電話端末１１ａ、１１ｂ、１１ｃに広告番組を一斉送信する。宣伝用テレビ電話端末１１ａ、１１ｂ、１１ｃは、送られてきた広告番組を再生すると共に、モニター信号を広告放送中継センター３に送る。広告主は、各宣伝場所の様子をモニターする場合には、モニター用テレビ電話端末２１ａ、２１ｂ、２１ｃで、モニターしたい宣伝場所を指定して広告放送中継センター３との接続処理を行う。広告放送中継センター３は、要求に応じて、各宣伝場所の宣伝用テレビ電話端末１１ａ、１１ｂ、１１ｃからのモニター信号を中継し、要求のあった広告主側のモニター用テレビ電話端末２１ａ、２１ｂ、２１ｃに向けて送信する。【選択図】        図１
2006211005.tif 000002
【特許請求の範囲】
【請求項１】
各宣伝場所に置かれた宣伝用テレビ電話端末と、
各広告主側に置かれたモニター用テレビ電話端末と、
広告番組を前記各宣伝場所の宣伝用テレビ電話端末に一斉に送信すると共に、前記宣伝用テレビ電話端末からのモニター信号を前記モニター用テレビ電話端末に中継する広告放送中継センターと、
前記宣伝用テレビ電話端末と前記広告放送中継センターとの間及び前記広告放送中継センターと前記モニター用テレビ電話端末との間を接続する通信網とからなり、
前記広告放送中継センターは、前記各宣伝場所の宣伝用テレビ電話端末に前記広告番組を一斉送信し、
前記各宣伝場所の宣伝用テレビ電話端末は、前記広告放送中継センターから送られてきた前記広告番組を再生すると共に、前記各宣伝場所の周辺の映像を映したモニター信号を前記広告放送中継センターに送り、
前記モニター用テレビ電話端末は、モニターしたい宣伝場所を指定して前記広告放送中継センターと接続し、
前記広告放送中継センターは、指定された宣伝場所の宣伝用テレビ電話端末からのモニター信号を中継し、要求のあった広告主側のモニター用テレビ電話端末に向けて送信する
ようにしたことを特徴とするテレビ電話広告システム。
【請求項２】
更に、前記モニター用テレビ電話端末からの一斉放送信号を、前記放送中継センターを介して、前記各宣伝場所の宣伝用テレビ電話端末に送信するようにしたことを特徴とする請求項１に記載のテレビ電話広告システム。
【請求項３】
前記広告放送中継センターは、前記各宣伝場所に置かれた宣伝用テレビ電話端末との通信を行う宣伝側中継テレビ電話端末と、前記各広告主側に置かれたモニター用テレビ電話端末との通信を行うモニター側中継テレビ電話端末とを含み、
前記モニター用テレビ電話端末は、前記モニター側中継テレビ電話端末のうちモニターしたい宣伝場所に対応する端末を指定して接続処理を行うようにしたことを特徴とする請求項１に記載のテレビ電話広告システム。
【請求項４】
前記広告放送中継センターは、前記各宣伝場所に置かれた宣伝用テレビ電話端末との通信を行う宣伝側中継テレビ電話端末と、前記各広告主側に置かれたモニター用テレビ電話端末との通信を行うモニター側中継テレビ電話端末と、前記広告主側のモニター用テレビ電話端末からのモニター要求を受け付ける制御用テレビ電話端末と、コントローラとを含み、
前記モニター用テレビ電話端末は、前記制御用テレビ電話端末と接続処理を行い、モニターしたい宣伝場所を指定してモニター要求を送り、
前記制御用テレビ電話端末は、受信したモニター要求を前記コントローラに送り、
前記コントローラは、前記受信したモニター要求に応じて、要求された宣伝場所のモニター信号を要求のあった広告主側のモニター用テレビ電話端末に中継する制御を行うようにしたことを特徴とする請求項１に記載のテレビ電話広告システム。
【請求項５】
前記宣伝用テレビ電話端末、前記モニター用テレビ電話端末、前記宣伝側中継テレビ電話端末、前記モニター側中継テレビ電話端末は、専用テレビ電話端末から構成されるようにしたことを特徴とする請求項１乃至４に記載のテレビ電話広告システム。
【請求項６】
前記宣伝用テレビ電話端末、前記モニター用テレビ電話端末、前記宣伝側中継テレビ電話端末、前記モニター側中継テレビ電話端末は、パーソナルコンピュータを用いたテレビ電話端末から構成されるようにしたことを特徴とする請求項１乃至４に記載のテレビ電話広告システム。
【請求項７】
前記宣伝用テレビ電話端末、前記モニター用テレビ電話端末、前記宣伝側中継テレビ電話端末、前記モニター側中継テレビ電話端末は、専用テレビ電話端末と、パーソナルコンピュータを用いたテレビ電話端末とを混在させるようにしたことを特徴とする請求項１乃至４に記載のテレビ電話広告システム。
【発明の詳細な説明】
【技術分野】
【０００１】
本発明は、駅や商店街等、大衆の集まる場所に設けられた宣伝用テレビ電話端末により不特定多数の人々に宣伝広告を行うテレビ電話広告システムに関する。
【背景技術】
【０００２】
駅や商店街等、大衆の集まる場所にテレビ受像機を設置し、ビデオカセットプレーヤやＤＶＤ(Digital Versatile Disc)プレーヤで広告番組を再生して、ビデオによる宣伝広告を行っている光景を良く見かける。このようなビデオによる宣伝広告では、商品の機能や利点を動画により細かく説明でき、多大な広告効果が期待できる。また、このようなビデオによる広告では、新商品に合わせて広告内容を簡単に更新できると共に、１台のテレビ受像機で、多数の会社の宣伝、広告を行うことができる。このようなビデオによる宣伝広告は、例えば、特許文献１に記載されている。
【特許文献１】登録実用新案第３０６５５４１号公報
【発明の開示】
【発明が解決しようとする課題】
【０００３】
このようなビデオによる宣伝広告を行った場合、広告主側では、どのくらいの人々がどのくらいの時間宣伝広告を見ているか、また、宣伝広告を見ている人々の反応はどうか、というような宣伝広告に対する人々の反応の情報を得たいと考えている。
【０００４】
ところが、従来のビデオによる宣伝広告では、ビデオによる宣伝広告の番組をテレビ受像機に再生しているだけで、広告主がそこに集まる人々の情報を直接的に得ることができない。
【０００５】
本発明は、上述の課題を鑑み、大衆の集まる場所でビデオによる宣伝広告を行えると共に、広告主側の要求により、広告主がそこに集まる人々の情報を直接的に得ることができるようにしたテレビ電話広告システムを提供することを目的とする。
【課題を解決するための手段】
【０００６】
本発明に係るテレビ電話広告システムは、各宣伝場所に置かれた宣伝用テレビ電話端末と、各広告主側に置かれたモニター用テレビ電話端末と、広告番組を各宣伝場所の宣伝用テレビ電話端末に一斉に送信すると共に、宣伝用テレビ電話端末からのモニター信号をモニター用テレビ電話端末に中継する広告放送中継センターと、宣伝用テレビ電話端末と広告放送中継センターとの間及び広告放送中継センターとモニター用テレビ電話端末との間を接続する通信網とからなり、広告放送中継センターは、各宣伝場所の宣伝用テレビ電話端末に広告番組を一斉送信し、各宣伝場所の宣伝用テレビ電話端末は、広告放送中継センターから送られてきた広告番組を再生すると共に、各宣伝場所の周辺の映像を映したモニター信号を広告放送中継センターに送り、モニター用テレビ電話端末は、モニターしたい宣伝場所を指定して広告放送中継センターと接続し、広告放送中継センターは、指定された宣伝場所の宣伝用テレビ電話端末からのモニター信号を中継し、要求のあった広告主側のモニター用テレビ電話端末に向けて送信するようにしたことを特徴とする。
【０００７】
好ましくは、モニター用テレビ電話端末からの一斉放送信号を、放送中継センターを介して、各宣伝場所の宣伝用テレビ電話端末に送信するようにしたことを特徴とする。
【０００８】
好ましくは、広告放送中継センターは、各宣伝場所に置かれた宣伝用テレビ電話端末との通信を行う宣伝側中継テレビ電話端末と、各広告主側に置かれたモニター用テレビ電話端末との通信を行うモニター側中継テレビ電話端末とを含み、モニター用テレビ電話端末は、モニター側中継テレビ電話端末のうちモニターしたい宣伝場所に対応する端末を指定して接続処理を行うようにしたことを特徴とする。
【０００９】
好ましくは、広告放送中継センターは、各宣伝場所に置かれた宣伝用テレビ電話端末との通信を行う宣伝側中継テレビ電話端末と、各広告主側に置かれたモニター用テレビ電話端末との通信を行うモニター側中継テレビ電話端末と、広告主側のモニター用テレビ電話端末からのモニター要求を受け付ける制御用テレビ電話端末と、コントローラとを含み、モニター用テレビ電話端末は、制御用テレビ電話端末と接続処理を行い、モニターしたい宣伝場所を指定してモニター要求を送り、制御用テレビ電話端末は、受信したモニター要求を前記コントローラに送り、コントローラは、受信したモニター要求に応じて、要求された宣伝場所のモニター信号を要求のあった広告主側のモニター用テレビ電話端末に中継する制御を行うようにしたことを特徴とする。
【００１０】
好ましくは、宣伝用テレビ電話端末、モニター用テレビ電話端末、宣伝側中継テレビ電話端末、モニター側中継テレビ電話端末は、専用テレビ電話端末から構成されるようにしたことを特徴とする。
【００１１】
好ましくは、宣伝用テレビ電話端末、モニター用テレビ電話端末、宣伝側中継テレビ電話端末、モニター側中継テレビ電話端末は、パーソナルコンピュータを用いたテレビ電話端末から構成されるようにしたことを特徴とする。
【００１２】
好ましくは、宣伝用テレビ電話端末、モニター用テレビ電話端末、宣伝側中継テレビ電話端末、モニター側中継テレビ電話端末は、専用テレビ電話端末と、パーソナルコンピュータを用いたテレビ電話端末とを混在させるようにしたことを特徴とする。
【発明の効果】
【００１３】
本発明によれば、各宣伝場所に置かれた宣伝用テレビ電話端末と、各広告主側に置かれたモニター用テレビ電話端末と、広告番組を各宣伝場所の宣伝用テレビ電話端末に一斉に送信すると共に、宣伝用テレビ電話端末からのモニター信号をモニター用テレビ電話端末に中継する広告放送中継センターと、宣伝用テレビ電話端末と広告放送中継センターとの間及び広告放送中継センターとモニター用テレビ電話端末との間を接続する通信網とからなり、広告放送中継センターは、各宣伝場所の宣伝用テレビ電話端末に広告番組を一斉送信し、各宣伝場所の宣伝用テレビ電話端末は、広告放送中継センターから送られてきた広告番組を再生すると共に、各宣伝場所の周辺の映像を映したモニター信号を広告放送中継センターに送り、モニター用テレビ電話端末は、モニターしたい宣伝場所を指定して広告放送中継センターと接続し、広告放送中継センターは、指定された宣伝場所の宣伝用テレビ電話端末からのモニター信号を中継し、要求のあった広告主側のモニター用テレビ電話端末に向けて送信するようにしているので、大衆の集まる場所でビデオによる宣伝広告を行えると共に、広告主側の要求により、広告主がそこに集まる人々の情報を直接的に得ることができる。
【００１４】
また、本発明によれば、モニター用テレビ電話端末からの一斉放送信号を、放送中継センターを介して、各宣伝場所の宣伝用テレビ電話端末に送信するようにしているので、広告主のテレビ電話から宣伝広告を直接一斉送信できると共に、災害時の緊急放送や、選挙放送等に利用することができる。
【００１５】
また、本発明によれば、広告放送中継センターは、各宣伝場所に置かれた宣伝用テレビ電話端末との通信を行う宣伝側中継テレビ電話端末と、各広告主側に置かれたモニター用テレビ電話端末との通信を行うモニター側中継テレビ電話端末とを含み、モニター用テレビ電話端末は、モニター側中継テレビ電話端末のうちモニターしたい宣伝場所に対応する端末を指定して接続処理を行うようにしているので、広告主は、各広告主側に置かれたモニター用テレビ電話端末で、モニターしたい宣伝場所に対応するモニター側中継テレビ電話端末を指定して接続処理を行うことで、要求のあった宣伝用テレビ電話端末の周辺の映像を映したモニター信号を、要求を出した広告主のモニター用テレビ電話端末に送ることができる。
【００１６】
また、本発明によれば、広告放送中継センターは、各宣伝場所に置かれた宣伝用テレビ電話端末との通信を行う宣伝側中継テレビ電話端末と、各広告主側に置かれたモニター用テレビ電話端末との通信を行うモニター側中継テレビ電話端末と、広告主側のモニター用テレビ電話端末からのモニター要求を受け付ける制御用テレビ電話端末と、コントローラとを含み、モニター用テレビ電話端末は、制御用テレビ電話端末と接続処理を行い、モニターしたい宣伝場所を指定してモニター要求を送り、制御用テレビ電話端末は、受信したモニター要求を前記コントローラに送り、コントローラは、受信したモニター要求に応じて、要求された宣伝場所のモニター信号を要求のあった広告主側のモニター用テレビ電話端末に中継する制御を行うようにしているので、広告主は、各広告主側に置かれたモニター用テレビ電話端末で、制御用テレビ電話端末との接続処理を行い、モニターしたい宣伝場所を指定してモニター要求を送ることで、要求のあった宣伝用テレビ電話端末の周辺の映像を映したモニター信号を、要求を出した広告主のモニター用テレビ電話端末に送ることができる。
【００１７】
本発明によれば、宣伝用テレビ電話端末、モニター用テレビ電話端末、宣伝側中継テレビ電話端末、モニター側中継テレビ電話端末は、専用テレビ電話端末から構成され、又はパーソナルコンピュータを用いたテレビ電話端末から構成されるようになっている。また、宣伝用テレビ電話端末、モニター用テレビ電話端末、宣伝側中継テレビ電話端末、モニター側中継テレビ電話端末は、専用テレビ電話端末と、パーソナルコンピュータによるテレビ電話端末とが混在されるようになっている。これにより、専用テレビ電話端末ばかりでなく、パーソナルコンピュータを用いてシステムを構成することができる。
【発明を実施するための最良の形態】
【００１８】
第１実施形態．
以下、本発明の実施形態について、図面を参照しながら説明する。図１は、本発明が適用されたテレビ電話広告システムの第１実施形態を示すものである。
【００１９】
図１において、宣伝場所１ａ、１ｂ、１ｃには、宣伝用テレビ電話端末１１ａ、１１ｂ、１１ｃが置かれている。宣伝用テレビ電話端末１１ａ、１１ｂ、１１ｃには、ディスプレイ１２ａ、１２ｂ、１２ｃと、カメラ１３ａ、１３ｂ、１３ｃと、スピーカ１４ａ、１４ｂ、１４ｃと、マイクロフォン１５ａ、１５ｂ、１５ｃが備えられている。宣伝用テレビ電話端末１１ａ、１１ｂ、１１ｃの通信端子ＣＯＭは通信網５ａに接続されており、宣伝用テレビ電話端末１１ａ、１１ｂ、１１ｃと広告放送中継センター３とは、インターネット等の通信網５ａを介して接続可能とされている。
【００２０】
宣伝用テレビ電話端末１１ａ、１１ｂ、１１ｃのディスプレイ１２ａ、１２ｂ、１２ｃには、広告放送中継センター３から送られてきた宣伝広告の番組が映し出され、スピーカ１４ａ、１４ｂ、１４ｃからは、その広告番組の音声が出力される。宣伝用テレビ電話端末１１ａ、１１ｂ、１１ｃの周辺に集まった人々の様子は、カメラ１３ａ、１３ｂ、１３ｃによりそれぞれ撮影され、また、その周辺の音は、マイクロフォン１５ａ、１５ｂ、１５ｃによりそれぞれ集音される。宣伝用テレビ電話端末１１ａ、１１ｂ、１１ｃの周辺に集まった人々の様子や、その周辺で集音された音声は、モニター信号として、宣伝用テレビ電話端末１１ａ、１１ｂ、１１ｃから広告放送中継センター３に送られる。
【００２１】
各広告主の事務所２ａ、２ｂ、２ｃには、各宣伝場所１ａ、１ｂ、１ｃでの様子をモニターするためのモニター用テレビ電話端末２１ａ、２１ｂ、２１ｃがそれぞれ置かれている。モニター用テレビ電話端末２１ａ、２１ｂ、２１ｃには、ディスプレイ２２ａ、２２ｂ、２２ｃと、カメラ２３ａ、２３ｂ、２３ｃと、スピーカ２４ａ、２４ｂ、２４ｃと、マイクロフォン２５ａ、２５ｂ、２５ｃが備えられている。広告主の事務所２ａ、２ｂ、２ｃのモニター用テレビ電話端末２１ａ、２１ｂ、２１ｃの通信端子ＣＯＭは通信網５ｂに接続されており、モニター用テレビ電話端末２１ａ、２１ｂ、２１ｃは広告放送中継センター３とインターネット等の通信網５ｂを介して接続可能とされている。
【００２２】
広告放送中継センター３は、各宣伝場所１ａ、１ｂ、１ｃの宣伝用テレビ電話端末１１ａ、１１ｂ、１１ｃに、広告番組を一斉に送信している。また、広告放送中継センター３は、広告主側のモニター用テレビ電話端末２１ａ、２１ｂ、２１ｃからの要求に応じて、各宣伝場所１ａ、１ｂ、１ｃのモニター信号を、要求のあった広告主のモニター用テレビ電話端末２１ａ、２１ｂ、２１ｃに中継している。
【００２３】
図２に示すように、広告放送中継センター３には、宣伝側中継テレビ電話端末３２ａ、３２ｂ、３２ｃと、モニター側中継テレビ電話端末３３ａ、３３ｂ、３３ｃとが設けられている。宣伝側中継テレビ電話端末３２ａ、３２ｂ、３２ｃは、宣伝用テレビ電話端末１１ａ、１１ｂ、１１ｃとの通信を行う。モニター側中継テレビ電話端末３３ａ、３３ｂ、３３ｃは、モニター用テレビ電話端末２１ａ、２１ｂ、２１ｃとの通信を行う。
【００２４】
宣伝側中継テレビ電話端末３２ａ、３２ｂ、３２ｃの通信端子ＣＯＭは通信網５ａに接続されており、宣伝側中継テレビ電話端末３２ａ、３２ｂ、３２ｃは、通信網５ａを介して、宣伝用テレビ電話端末１１ａ、１１ｂ、１１ｃと接続可能とされている。モニター側中継テレビ電話端末３３ａ、３３ｂ、３３ｃの通信端子ＣＯＭは通信網５ｂに接続されており、モニター側中継テレビ電話端末３３ａ、３３ｂ、３３ｃは、通信網５ｂを介して、モニター用テレビ電話端末２１ａ、２１ｂ、２１ｃと接続可能とされている。
【００２５】
宣伝側中継テレビ電話端末３２ａ、３２ｂ、３２ｃの映像出力端子ＶＯ及び音声出力端子ＡＯは、モニター側中継テレビ電話端末３３ａ、３３ｂ、３３ｃの映像入力端子ＶＩ及び音声入力端子ＡＩにそれぞれ接続されている。
【００２６】
また、広告放送中継センター３には、ＤＶＤプレーヤ等の放送機器３１が備えられている。放送機器３１の映像出力端子ＶＯ及び音声出力端子ＡＯは、宣伝側中継テレビ電話端末３２ａ、３２ｂ、３２ｃの映像入力端子ＶＩ及び音声入力端子ＡＩに接続されている。
【００２７】
図３に示すように、このようなテレビ電話広告システムでは、宣伝広告を行う場合、広告放送中継センター３の宣伝側中継テレビ電話端末３２ａ、３２ｂ、３２ｃと、宣伝場所１ａ、１ｂ、１ｃの宣伝用テレビ電話端末１１ａ、１１ｂ、１１ｃとが通信網５ａを介してそれぞれ接続される。また、広告放送中継センター３の放送機器３１で、宣伝広告番組が再生され、広告信号が生成される。
【００２８】
放送機器３１からの広告信号は、宣伝側中継テレビ電話端末３２ａ、３２ｂ、３２ｃの映像入力端子ＶＩ及び音声入力端子ＡＩにそれぞれ入力され、宣伝側中継テレビ電話端末３２ａ、３２ｂ、３２ｃから、通信網５ａを介して、宣伝場所１ａ、１ｂ、１ｃの宣伝用テレビ電話端末１１ａ、１１ｂ、１１ｃに一斉に送られる。これにより、駅や商店街等の宣伝場所１ａ、１ｂ、１ｃに設置された宣伝用テレビ電話端末１１ａ、１１ｂ、１１ｃのディスプレイ１２ａ、１２ｂ、１２ｃ（図１）に、広告番組の画像が映し出され、そのスピーカ１４ａ、１４ｂ、１４ｃから、広告番組の音声が出力される。
【００２９】
このとき、図１に示すように、各宣伝場所１ａ、１ｂ、１ｃに集まっている人々の様子は、各宣伝場所１ａ、１ｂ、１ｃの宣伝用テレビ電話端末１１ａ、１１ｂ、１１ｃのカメラ１３ａ、１３ｂ、１３ｃで撮影されている。また、各宣伝場所１ａ、１ｂ、１ｃの周辺の音声がマイクロフォン１５ａ、１５ｂ、１５ｃで集音されている。
【００３０】
図３において、この各宣伝場所１ａ、１ｂ、１ｃの様子を撮影した画像信号やその周辺の音声信号は、モニター信号として、宣伝用テレビ電話端末１１ａ、１１ｂ、１１ｃから、通信網５ａを介して、広告放送中継センター３の宣伝側中継テレビ電話端末３２ａ、３２ｂ、３２ｃにそれぞれ送られる。
【００３１】
広告主は、各宣伝場所１ａ、１ｂ、１ｃの様子をモニターする場合には、広告主の事務所２ａ、２ｂ、２ｃのモニター用テレビ電話端末２１ａ、２１ｂ、２１ｃで、広告放送中継センター３のモニター側中継テレビ電話端末３３ａ、３３ｂ、３３ｃのうち、モニターしたい宣伝場所に対応する端末に接続する。すなわち、宣伝場所１ａの様子をモニターしたい場合には、モニター側中継テレビ電話端末３３ａに接続し、宣伝場所１ｂの様子をモニターしたい場合には、モニター側中継テレビ電話端末３３ｂに接続し、宣伝場所１ｃの様子をモニターしたい場合には、モニター側中継テレビ電話端末３３ｃに接続する。これにより、指定された宣伝場所の様子を示すモニター信号が、宣伝用テレビ電話端末１１ａ、１１ｂ、１１ｃから、宣伝側中継テレビ電話端末３２ａ、３２ｂ、３２ｃ、モニター側中継テレビ電話端末３３ａ、３３ｂ、３３ｃを介して、要求のあった広告主のモニター用テレビ電話端末２１ａ、２１ｂ、２１ｃに送られる。
【００３２】
図４の例では、広告主の事務所２ａにあるモニター用テレビ電話端末２１ａで、宣伝場所１ｂの宣伝用テレビ電話端末１１ｂの周辺の様子をモニターするものとする。この場合には、モニター用テレビ電話端末２１ａをモニター側中継テレビ電話端末３３ｂに接続する。
【００３３】
モニター用テレビ電話端末２１ａがモニター側中継テレビ電話端末３３ｂに接続されると、宣伝場所１ｂの様子を示すモニター信号は、宣伝側中継テレビ電話端末３２ｂ、モニター側中継テレビ電話端末３３ｂを介して、要求のあった広告主のモニター用テレビ電話端末２１ａに送られる。
【００３４】
これにより、事務所２ａのモニター用テレビ電話端末２１ａのディスプレイ２２ａ（図１）に、宣伝用テレビ電話端末１１ｂの周辺で広告を見ている人々の様子が映し出され、また、スピーカ２４ａからは、宣伝用テレビ電話端末１１ｂの周辺で広告を見ている人の声等が出力される。
【００３５】
このように、本発明が適用されたテレビ電話広告システムでは、広告主は、広告放送中継センター３の、モニターしたい宣伝場所に対応するモニター側中継テレビ電話端末３３ａ、３３ｂ、３３ｃを指定して接続処理を行うことにより、各広告主の事務所２ａ、２ｂ、２ｃのモニター用テレビ電話端末２１ａ、２１ｂ、２１ｃで各宣伝場所１ａ、１ｂ、１ｃの様子をモニターすることができる。このため、広告主は、各宣伝場所での人々の反応を直接知ることができる。
【００３６】
各広告主の事務所２ａ、２ｂ、２ｃのモニター用テレビ電話端末２１ａ、２１ｂ、２１ｃで各宣伝場所１ａ、１ｂ、１ｃの様子をモニターすると、図５（Ａ）に示すように、各宣伝場所１ａ、１ｂ、１ｃの様子を示す画面６１が映し出される。更に、図５（Ｂ）に示すように、各宣伝場所１ａ、１ｂ、１ｃの様子を示す画面６１と、宣伝広告の番組の画面６２とを合成させて表示させるようにしても良い。
【００３７】
次に、本発明が適用されたテレビ電話広告システムで用いることができるテレビ電話端末について説明する。
【００３８】
上述の例では、宣伝場所１ａ、１ｂ、１ｃに、宣伝用テレビ電話端末１１ａ、１１ｂ、１１ｃが置かれ、広告主の事務所２ａ、２ｂ、２ｃに、モニター用テレビ電話端末２１ａ、２１ｂ、２１ｃが置かれている。更に、広告放送中継センター３に、宣伝側中継テレビ電話端末３２ａ、３２ｂ、３２ｃと、モニター側中継テレビ電話端末３３ａ、３３ｂ、３３ｃとが置かれている。
【００３９】
これらのテレビ電話端末のうち、広告放送中継センター３の宣伝側中継テレビ電話端末３２ａ、３２ｂ、３２ｃは、外部からのアナログ映像信号及びアナログ音声信号を入力するための映像入力端子ＶＩ及び音声入力端子ＡＩと、外部にアナログ映像信号及びアナログ音声信号を出力するための映像出力端子ＶＯ及び音声出力端子ＡＯとを有するものが用いられる。モニター側中継テレビ電話端末３３ａ、３３ｂ、３３ｃとしては、外部からのアナログ映像信号及びアナログ音声信号を入力するための映像入力端子ＶＩ及び音声入力端子ＡＩとを有するものが用いられる。
【００４０】
各宣伝場所１ａ、１ｂ、１ｃの宣伝用テレビ電話端末１１ａ、１１ｂ、１１ｃとしては、宣伝広告効果を考えると、大画面のディスプレイを有するものを用いることが望ましい。また、ディスプレイとして、テレビ受像機を用いるようにしても良い。広告主側のモニター用テレビ電話端末２１ａ、２１ｂ、２１ｃとしては、通常のテレビ電話の端末と同様のものが用いられる。
【００４１】
また、テレビ電話端末としては、専用テレビ電話端末と、パーソナルコンピュータを使ってソフトウェアによりテレビ電話の機能を持たせたものがある。本発明が適用されたテレビ電話広告システムは、専用テレビ電話端末を使って実現しても良いし、パーソナルコンピュータを使ったテレビ電話端末で実現しても良い。
【００４２】
図６は、専用テレビ電話端末の一例を示すものである。図６において、制御部１０１は、テレビ電話端末全体の制御を行っている。制御部１０１には、操作部１０２から、通話先と接続する操作等を行うための入力が与えられる。また、制御部１０１には、制御インターフェース１０３を介して、外部から入出力が与えられる。
【００４３】
カメラ１１１による撮影で得られた映像信号は、セレクタ１１２に供給される。また、セレクタ１１２には、映像入力端子１１３からアナログ映像信号が供給される。セレクタ１１２の出力信号は、Ａ／Ｄ(Analog to Digital)コンバータ１１４でディジタル化され、画像符号化／復号化部１１５に送られる。画像符号化／復号化部１１５により、入力映像信号は、所定の符号化方式（例えばＭＰＥＧ(Moving Picture Coding Experts Group)４）により符号化される。
【００４４】
マイクロフォン１２１により集音された音声信号は、セレクタ１２２に供給される。また、セレクタ１２２には、音声入力端子１２３からのアナログ音声信号が供給される。セレクタ１２２の出力信号は、Ａ／Ｄコンバータ１２４でディジタル化され音声符号化／復号化部１２５に送られる。音声符号化／復号化部１２５により、入力音声信号は、所定の符号化方式（例えばＭＰＥＧ４  ＡＡＣ(MPEG4 Advanced Audio Coding )）により符号化される。
【００４５】
画像符号化／復号化部１１５により符号化された映像データ及び音声符号化／復号化部１２５により符号化された音声データは、パケット化され、通信インターフェース１２６を介して出力される。
【００４６】
通信インターフェース１２６を介して送られてきた映像データ及び音声データのパケットは分解され、映像データは画像符号化／復号化部１１５に送られ、音声データは音声符号化／復号化部１２５に送られる。
【００４７】
画像符号化／復号化部１１５で、映像データが復号され、復号された映像データは、Ｄ／Ａ(Digital to Analog)コンバータ１３１を介して、セレクタ１３２に供給される。セレクタ１３２の出力信号は、ディスプレイ１３３に供給されると共に、映像出力端子１３４に供給される。ディスプレイ１３３には、送られてきた画像が映し出される。
【００４８】
音声符号化／復号化部１２５で、音声データが復号され、復号された音声データは、Ｄ／Ａコンバータ１４１を介して、セレクタ１４２に供給される。セレクタ１４２の出力信号は、スピーカ１４３に供給されると共に、音声出力端子１４４に供給される。スピーカ１４３には、送られてきた音声が出力される。
【００４９】
このようなテレビ電話端末では、通信インターフェース１２６が設けられている。この通信インターフェース１２６は、図１、図２における通信端子ＣＯＭに対応しており、この通信インターフェース１２６により、インターネット等により通信を行うことができる。
【００５０】
また、このようなテレビ電話端末では、映像入力端子１１３及び音声入力端子１２３と設けられている。この映像入力端子１１３及び音声入力端子１２３は、それぞれ、図２における映像入力端子ＶＩ及び音声入力端子ＡＩに対応しており、この映像入力端子１１３及び音声入力端子１２３により、アナログの映像信号及び音声信号を外部から取り込むことができる。また、映像出力端子１３４及び音声出力端子１４４が設けられている。この映像出力端子１３４及び音声出力端子１４４は、それぞれ、図２における映像出力端子ＶＯ及び音声出力端子ＡＯに対応しており、この映像出力端子１３４及び音声入力端子１４４により、アナログの映像信号及び音声信号を外部に出力することができる。
【００５１】
また、制御インターフェース１０３により、外部からのコマンドを入力して動作制御を行ったり、外部にコマンドを送って外部機器を制御したりすることができる。
【００５２】
パーソナルコンピュータを用いたテレビ電話端末は、上述と同様な制御をソフトウェアにより実現される。
【００５３】
第２実施形態．
図７は、本発明の第２実施形態を示すものである。この実施形態では、広告放送中継センター３に、宣伝側中継テレビ電話端末３２ａ、３２ｂ、３２ｃと、モニター側中継テレビ電話端末３３ａ、３３ｂ、３３ｃと共に、制御用テレビ電話端末３４と、コントローラ３５とが設けられている。制御用テレビ電話端末３４は、モニター用テレビ電話端末２１ａ、２１ｂ、２１ｃからのモニター要求を受け付ける。
【００５４】
なお、各宣伝場所１ａ、１ｂ、１ｃの宣伝用テレビ電話端末１１ａ、１１ｂ、１１ｃ、各広告主の事務所のモニター用テレビ電話端末２１ａ、２１ｂ、２１ｃの構成については、第１実施形態と同様であり、その説明を省略する。
【００５５】
宣伝側中継テレビ電話端末３２ａ、３２ｂ、３２ｃの通信端子ＣＯＭは通信網５ａに接続されており、宣伝側中継テレビ電話端末３２ａ、３２ｂ、３２ｃは、通信網５ａを介して、宣伝用テレビ電話端末１１ａ、１１ｂ、１１ｃと接続可能とされている。モニター側中継テレビ電話端末３３ａ、３３ｂ、３３ｃの通信端子ＣＯＭは通信網５ｂに接続されており、モニター側中継テレビ電話端末３３ａ、３３ｂ、３３ｃは、通信網５ｂを介して、モニター用テレビ電話端末２１ａ、２１ｂ、２１ｃと接続可能とされている。制御用テレビ電話端末３４の通信端子ＣＯＭは通信網５ｂに接続されており、制御用テレビ電話端末３４は、通信網５ｂを介して、モニター用テレビ電話端末２１ａ、２１ｂ、２１ｃと接続可能とされている。
【００５６】
宣伝側中継テレビ電話端末３２ａ、３２ｂ、３２ｃの映像出力端子ＶＯ及び音声出力端子ＡＯは、モニター側中継テレビ電話端末３３ａ、３３ｂ、３３ｃの映像入力端子ＶＩ及び音声入力端子ＡＩにそれぞれ接続されている。宣伝側中継テレビ電話端末３２ａ、３２ｂ、３２ｃ及びモニター側中継テレビ電話端末３３ａ、３３ｂ、３３ｃの制御端子ＣＮＴはコントローラ３５に接続されており、宣伝側中継テレビ電話端末３２ａ、３２ｂ、３２ｃ及びモニター側中継テレビ電話端末３３ａ、３３ｂ、３３ｃは、コントローラ３５により自動送信や自動応答等の処理を行うことができる。
【００５７】
また、広告放送中継センター３には、ＤＶＤプレーヤ等の放送機器３１が備えられている。放送機器３１の制御端子ＣＮＴはコントローラ３５に接続されており、放送機器３１は、コントローラ３５により、自動再生やプログラム再生等の処理を行うことができる。放送機器３１の映像出力端子ＶＯ及び音声出力端子ＡＯは、宣伝側中継テレビ電話端末３２ａ、３２ｂ、３２ｃの映像入力端子ＶＩ及び音声入力端子ＡＩに接続されている。
【００５８】
広告主は、各宣伝場所１ａ、１ｂ、１ｃの様子をモニターする場合には、図８に示すように、広告主の事務所２ａ、２ｂ、２ｃのモニター用テレビ電話端末２１ａ、２１ｂ、２１ｃで、広告放送中継センター３の制御用テレビ電話端末３４に接続し、自局呼出信号（アドレス）と、モニターしたい場所を指定して、モニター要求を送る。図８の例では、モニター用テレビ電話端末２１ａが制御用テレビ電話端末３４に接続され、モニター用テレビ電話端末２１ａから制御用テレビ電話端末３４に、モニター用テレビ電話端末２１ａの自局信号を付加し、宣伝場所１ｂのモニターを指定して、モニター要求が送られている。
【００５９】
入力されたモニター要求は、モニター用テレビ電話端末２１ａ、２１ｂ、２１ｃから通信網５ｂを介して広告放送中継センター３の制御用テレビ電話端末３４に送られ、コントローラ３５に送られる。コントローラ３５は、モニター要求を受け取ると、モニター用テレビ電話端末２１ａ、２１ｂ、２１ｃと制御用テレビ電話端末３４とを切断し、モニター側中継テレビ電話端末３３ａ、３３ｂ、３３ｃの中から、対応する宣伝場所のモニター側中継テレビ電話端末を判断し、対応する宣伝場所のモニター側中継テレビ電話端末３３ａ、３３ｂ、３３ｃを、モニター要求のあった広告主のモニター用テレビ電話端末２１ａ、２１ｂ、２１ｃに接続させる処理を行う。図８の例では、宣伝場所１ｂのモニターが指定されているので、モニター側中継テレビ電話端末３３ｂに対して、モニター用テレビ電話端末２１ａへの接続処理が行われる。
【００６０】
これにより、図９に示すように、指定された宣伝場所の様子を示すモニター信号が、宣伝用テレビ電話端末１１ａ、１１ｂ、１１ｃから、宣伝側中継テレビ電話端末３２ａ、３２ｂ、３２ｃ、モニター側中継テレビ電話端末３３ａ、３３ｂ、３３ｃを介して、モニター要求のあった広告主のモニター用テレビ電話端末２１ａ、２１ｂ、２１ｃに送られる。      
【００６１】
図９の例では、モニター側中継テレビ電話端末３３ｂとモニター用テレビ電話端末２１ａとが接続され、宣伝用テレビ電話端末１１ｂからのモニター信号が、宣伝側中継テレビ電話端末３２ｂ、モニター側中継テレビ電話端末３３ｂを介して、モニター要求のあった広告主のモニター用テレビ電話端末２１ａに送られ、モニター用テレビ電話端末２１ａのディスプレイ２２ａに、宣伝用テレビ電話端末１１ｂの周辺で広告を見ている人々の様子が映し出され、また、スピーカ２４ａからは、宣伝用テレビ電話端末１１ｂの周辺で広告を見ている人の声等が出力される。
【００６２】
図１０は、このときの処理を示すものである。例えば、広告主の事務所２ａにいるその広告主が宣伝場所１ｂのモニターしたいとする。この場合には、図１０に示すように、広告主は事務所２ａのモニター用テレビ電話端末２１ａで広告放送中継センター３の制御用テレビ電話端末３４と接続する（ステップＳ１）。そして、モニター用テレビ電話端末２１ａの自局信号を付加し、宣伝場所１ｂを指定して、モニター要求を入力する。入力されたモニター要求は、モニター用テレビ電話端末２１ａから、制御用テレビ電話端末３４に送られ（ステップＳ２）、制御用テレビ電話端末３４からコントローラ３５に送られる（ステップＳ３）。
【００６３】
コントローラ３５は、モニター要求を受け取ると、制御用テレビ電話端末３４とモニター用テレビ電話端末２１ａとの切断処理を行い（ステップＳ４）、制御用テレビ電話端末３４とモニター用テレビ電話端末２１ａとを切断させる（ステップＳ５）。そして、指定された宣伝場所に対応するモニター側中継テレビ電話端末（この場合にはモニター側中継テレビ電話端末３３ｂ）を判断する（ステップＳ６）。指定された宣伝場所に対応するモニター側中継テレビ電話端末が判断されたら、モニター側中継テレビ電話端末３３ｂを、モニター要求のあった広告主の事務所２ａのモニター用テレビ電話端末２１ｂに接続させる処理を行い（ステップＳ７）、モニター側中継テレビ電話端末３３ｂとモニター用テレビ電話端末２１ｂとを接続させる（ステップＳ８）。
【００６４】
宣伝場所１ｂのモニター信号は、宣伝用テレビ電話端末１１ｂから、広告放送中継センター３の宣伝側中継テレビ電話端末３２ｂに送られ、宣伝側中継テレビ電話端末３２ｂからモニター側中継テレビ電話端末３３ｂに送られている。モニター側中継テレビ電話端末３３ｂとモニター用テレビ電話端末２１ｂとが接続されると、このモニター信号は、モニター側中継テレビ電話端末３３ｂからモニター用テレビ電話端末２１ａに送られる（ステップＳ９）。これにより、宣伝場所１ｂのモニター信号が広告主の事務所２ａのモニター用テレビ電話端末２１ａに送られ、モニター用テレビ電話端末２１ａのディスプレイ２２ａには、宣伝場所１ｂで広告を見ている人々の様子が映し出され、また、スピーカからは、宣伝場所１ｂで広告を見ている人々の声等が出力される。
【００６５】
第３実施形態．
上述の実施形態では、広告主側のモニター用テレビ電話端末２１ａ、２１ｂ、２１ｃは、宣伝場所のモニター画面をモニターするために用いられているが、広告主側から宣伝場所１ａ、１ｂ、１ｃの宣伝用テレビ電話端末１１ａ、１１ｂ、１１ｃに一斉放送が行えるようにしても良い。
【００６６】
図１１及び図１２は、本発明の第３実施形態を示すものである。この実施形態は、広告主側のモニター用テレビ電話端末２１ａ、２１ｂ、２１ｃで、宣伝場所１ａ、１ｂ、１ｃの宣伝用テレビ電話端末１１ａ、１１ｂ、１１ｃに一斉放送が行えるようにしたものである。
【００６７】
この実施形態では、モニター側中継テレビ電話端末３３ａ、３３ｂ、３３ｃに映像出力端子ＶＯ及び音声出力端子ＡＯが設けられ、放送機器３１に映像入力端子ＶＩ及び音声入力端子ＡＩが設けられる。モニター側中継テレビ電話端末３３ａ、３３ｂ、３３ｃの映像出力端子ＶＯ及び音声出力端子ＡＯは、放送機器３１の映像入力端子ＶＩ及び音声入力端子ＡＩに接続される。なお、一斉放送を行うときには、放送機器３１は、その映像入力端子ＶＩ及び音声入力端子ＡＩからの映像信号及び音声信号が、映像出力端子ＶＯ及び音声出力端子ＡＯから直接出力されるように設定しておく。
【００６８】
広告主の事務所２ａ、２ｂ、２ｃには、放送機器（図示せず）が設けられる。または、広告主側のモニター用テレビ電話端末２１ａ、２１ｂ、２１ｃのカメラ２３ａ、２３ｂ、２３ｃやマイクロフォン２５ａ、２５ｂ、２５ｃを使って、ライブで一斉放送が行われる。広告主からの放送としては、宣伝広告の他に、災害時の緊急放送や、選挙放送等が考えられる。
【００６９】
広告主側のモニター用テレビ電話端末２１ａ、２１ｂ、２１ｃを使って一斉放送を行う場合には、図１１に示すように、広告主の事務所２ａ、２ｂ、２ｃのモニター用テレビ電話端末２１ａ、２１ｂ、２１ｃで、広告放送中継センター３の制御用テレビ電話端末３４に接続し、自局呼出信号（アドレス）と、モニターしたい場所と、一斉放送の有無を含めて、モニター要求を送る。図１１の例では、モニター用テレビ電話端末２１ａが制御用テレビ電話端末３４に接続され、モニター用テレビ電話端末２１ａから制御用テレビ電話端末３４に、モニター用テレビ電話端末２１ａの自局呼出信号（アドレス）と、モニターしたい場所（宣伝場所１ｂ）と、一斉放送の有り情報を含めて、モニター要求が送られている。
【００７０】
入力されたモニター要求は、モニター用テレビ電話端末２１ａ、２１ｂ、２１ｃから通信網５ｂを介して広告放送中継センター３の制御用テレビ電話端末３４に送られ、コントローラ３５に送られる。コントローラ３５は、モニター要求を受け取ると、モニター用テレビ電話端末２１ａ、２１ｂ、２１ｃと制御用テレビ電話端末３４とを切断し、モニター側中継テレビ電話端末３３ａ、３３ｂ、３３ｃの中から、対応する宣伝場所のモニター側中継テレビ電話端末を判断し、対応する宣伝場所のモニター側中継テレビ電話端末３３ａ、３３ｂ、３３ｃを、モニター要求のあった広告主のモニター用テレビ電話端末２１ａ、２１ｂ、２１ｃに接続させる処理を行う。また、コントローラ３５は、一斉放送の有無を判断し、一斉放送有りの場合には、指定された宣伝場所（宣伝場所１ｂ）に対応するモニター側中継テレビ電話端末３３ｂからの映像信号及び音声信号のみ出力されるように、設定を行う。
【００７１】
対応する宣伝場所のモニター側中継テレビ電話端末３３ａ、３３ｂ、３３ｃと、モニター要求のあった広告主のモニター用テレビ電話端末２１ａ、２１ｂ、２１ｃとが接続されたら、モニター要求のあった広告主のモニター用テレビ電話端末２１ａ、２１ｂ、２１ｃから、一斉放送信号が送られる。
【００７２】
図１１の例では、宣伝場所１ｂのモニターが指定されているので、モニター側中継テレビ電話端末３３ｂに対して、モニター用テレビ電話端末２１ａへの接続処理が行われる。モニター側中継テレビ電話端末３３ｂと、モニター用テレビ電話端末２１ａとが接続されたら、図１２に示すように、モニター要求のあった広告主のモニター用テレビ電話端末２１ａから、一斉放送信号が送られる。
【００７３】
モニター用テレビ電話端末２１ａからの一斉放送信号は、モニター側中継テレビ電話端末３３ｂを介して、放送機器３１に送られる。このとき、放送機器３１は、その映像入力端子ＶＩ及び音声入力端子ＡＩからの映像信号及び音声信号が映像出力端子ＶＯ及び音声出力端子ＡＯから直接出力されるように設定してあるので、この一斉放送信号は、放送機器３１から宣伝側中継テレビ電話端末３２ａ、３２ｂ、３２ｃを介して、宣伝用テレビ電話端末１１ａ、１１ｂ、１１ｃに送られる。これにより、宣伝場所１ａ、１ｂ、１ｃの宣伝用テレビ電話端末１１ａ、１１ｂ、１１ｃのディスプレイ１２ａ、１２ｂ、１２ｃには、広告主２ａのモニター用テレビ電話端末２１ａから送られてきた一斉放送の番組が映し出され、スピーカ１４ａ、１４ｂ、１４ｃからは、その一斉放送の番組の音声が出力される。
【００７４】
このとき、宣伝用テレビ電話端末１１ｂの周辺に集まった人々の様子や、その周辺で集音された音声は、モニター信号として、宣伝用テレビ電話端末１１ｂから広告放送中継センター３に送られる。図１１に示すように、宣伝用テレビ電話端末１１ｂからのモニター信号が、宣伝側中継テレビ電話端末３２ｂ、モニター側中継テレビ電話端末３３ｂを介して、モニター要求のあった広告主のモニター用テレビ電話端末２１ａに送られ、モニター用テレビ電話端末２１ａのディスプレイ２２ａに、宣伝用テレビ電話端末１１ｂの周辺で広告を見ている人々の様子が映し出され、また、スピーカ２４ａからは、宣伝用テレビ電話端末１１ｂの周辺で広告を見ている人の声等が出力される。
【００７５】
なお、他の宣伝場所の宣伝側テレビ電話端末１１ａ、１１ｂ、１１ｃの様子をモニターしたい場合には、他のモニター場所を指定して、モニター要求を送り、上述と同様の処理をすれば良い。
【００７６】
第４実施形態．
図１３は、本発明の第４実施形態を示すものである。前述したように、本発明が適用されたテレビ電話広告システムは、専用テレビ電話端末を使って実現しても良いし、パーソナルコンピュータを使ったテレビ電話端末で実現しても良いし、専用テレビ電話端末とパーソナルコンピュータを用いたテレビ電話端末とを混在させるようにしても良い。
【００７７】
この実施形態は、専用テレビ電話端末と、パーソナルコンピュータを使ったテレビ電話端末とを混在させたものである。パーソナルコンピュータを用いたテレビ電話端末の場合には、ビデオ入力や音声入力、ビデオ出力や音声出力がディジタルの場合がある。これに対して、専用テレビ電話端末のビデオ入力や音声入力、ビデオ出力や音声出力は、アナログである。このため、専用テレビ電話端末とパーソナルコンピュータを用いたテレビ電話端末とを接続する場合には、その段間に、Ａ／ＤコンバータやＤ／Ａコンバータが必要な場合がある。また、パーソナルコンピュータを用いたテレビ電話端末は、画像フォーマットが通常のテレビ方式と異なっている場合がある。このため、専用テレビ電話端末の映像出力からパーソナルコンピュータを使ったテレビ電話端末に映像を送る場合や、パーソナルコンピュータを使ったテレビ電話端末の映像出力から専用テレビ電話端末に映像を送る場合には、スキャンコンバータが必要な場合がある。
【００７８】
この実施形態では、広告放送中継センター３の宣伝側中継テレビ電話端末３２ａ、３２ｂ、３２ｃが専用テレビ電話端末とされ、モニター側中継テレビ電話端末３３ａ、３３ｂ、３３ｃがパーソナルコンピュータを使ったテレビ電話端末とされている。この場合、宣伝側中継テレビ電話端末３２ａのビデオ出力がアナログなのに対して、パーソナルコンピュータを使ったモニター側中継テレビ電話端末３３ａ、３３ｂ、３３ｃのビデオ入力がディジタルであるため、モニター側中継テレビ電話端末３３ａ、３３ｂ、３３ｃの映像入力には、Ａ／Ｄコンバータ５１ａ、５１ｂ、５１ｃが設けられる。他の構成については、前述の第１実施形態と同様であり、同一部分には同一符号を付して、その説明を省略する。
【００７９】
なお、図１３では、広告放送中継センター３の部分についてのみ示しているが、宣伝場所１ａ、１ｂ、１ｃの宣伝用テレビ電話端末１１ａ、１１ｂ、１１ｃ、広告主の事務所２ａ、２ｂ、２ｃのモニター用テレビ電話端末２１ａ、２１ｂ、２１ｃについても、専用テレビ電話端末と、パーソナルコンピュータを用いたテレビ電話端末とを混在させることができる。
【００８０】
本発明は、上述した実施形態に限定されるものではなく、この発明の要旨を逸脱しない範囲内で様々な変形や応用が可能である。
【産業上の利用可能性】
【００８１】
本発明は、駅や商店街等の大衆の集まる場所にテレビ電話を設置して宣伝広告を行うのに利用することができる。
【図面の簡単な説明】
【００８２】
【図１】本発明が適用されたテレビ電話広告システムの概要を示すブロック図である。
【図２】本発明が適用されたテレビ電話広告システムの第１実施形態の説明に用いるブロック図である。
【図３】本発明が適用されたテレビ電話広告システムの第１実施形態における広告番組信号とモニター信号の流れの説明に用いるブロック図である。
【図４】本発明が適用されたテレビ電話広告システムの第１実施形態におけるモニター信号の伝送の説明に用いるブロック図である。
【図５】本発明が適用されたテレビ電話広告システムにおけるモニター画面の説明図である。
【図６】本発明が適用されたテレビ電話広告システムにおけるテレビ電話端末の一例のブロック図である。
【図７】本発明が適用されたテレビ電話広告システムの第２実施形態の説明に用いるブロック図である。
【図８】本発明が適用されたテレビ電話広告システムの第２実施形態におけるモニター要求と接続処理の説明に用いるブロック図である。
【図９】本発明が適用されたテレビ電話広告システムの第２実施形態におけるモニター信号の伝送の説明に用いるブロック図である。
【図１０】本発明が適用されたテレビ電話広告システムの第２実施形態におけるモニター信号の伝送処理の説明に用いるシーケンス図である。
【図１１】本発明が適用されたテレビ電話広告システムの第３実施形態における一斉放送の接続処理の説明に用いるブロック図である。
【図１２】本発明が適用されたテレビ電話広告システムの第３実施形態における一斉放送信号の伝送の説明に用いるブロック図である。
【図１３】本発明が適用されたテレビ電話広告システムの第４実施形態の説明に用いるブロック図である。
【符号の説明】
【００８３】
１ａ、１ｂ、１ｃ  宣伝場所
２ａ、２ｂ、２ｃ  広告主の事務所
３ 広告放送中継センター
５ａ、５ｂ  通信網
１１ａ、１１ｂ、１１ｃ  宣伝用テレビ電話端末
１２ａ、１２ｂ、１２ｃ  ディスプレイ
１３ａ、１３ｂ、１３ｃ  カメラ
１４ａ、１４ｂ、１４ｃ  スピーカ
１５ａ、１５ｂ、１５ｃ  マイクロフォン
２１ａ、２１ｂ、２１ｃ  モニター用テレビ電話端末
２２ａ、２２ｂ、２２ｃ  ディスプレイ
２３ａ、２３ｂ、２３ｃ  カメラ
２４ａ、２４ｂ、２４ｃ  スピーカ
２５ａ、２５ｂ、２５ｃ  マイクロフォン
３１  放送機器
３２ａ、３２ｂ、３２ｃ  宣伝側中継テレビ電話端末
３３ａ、３３ｂ、３３ｃ  モニター側中継テレビ電話端末
３４  制御用テレビ電話端末
３５  コントローラ
５１ａ、５１ｂ、５１ｃ  Ａ／Ｄコンバータ
１０１  制御部
１０２  操作部
１０３  制御インターフェース
１１１  カメラ
１１２  セレクタ
１１３  映像入力端子
１１４  Ａ／Ｄコンバータ
１１５  画像符号化／復号化部
１２１  マイクロフォン
１２２  セレクタ
１２３  音声入力端子
１２４  Ａ／Ｄコンバータ
１２５  音声符号化／復号化部
１２６  通信インターフェース
１３１  Ｄ／Ａコンバータ
１３２  セレクタ
１３３  ディスプレイ
１３４  映像出力端子
１４１  Ｄ／Ａコンバータ
１４２  セレクタ
１４３  スピーカ
１４４  音声入力端子
１４４  音声出力端子
【図１】
2006211005.tif 000003
【図２】
2006211005.tif 000004
【図３】
2006211005.tif 000005
【図４】
2006211005.tif 000006
【図５】
2006211005.tif 000007
【図６】
2006211005.tif 000008
【図７】
2006211005.tif 000009
【図８】
2006211005.tif 000010
【図９】
2006211005.tif 000011
【図１０】
2006211005.tif 000012
【図１１】
2006211005.tif 000013
【図１２】
2006211005.tif 000014
【図１３】
2006211005.tif 000015